(57)【要約】      （修正有）【課題】糸目糸の設定や調整などの凧作りにおける難しい要素を取り除き、二等辺三角形のシートで斜め半筒状を形成し、簡単に作れてよく揚がり、誰もが楽しめる新しい凧を提供する。【解決手段】二等辺三角形のシート１の、二等辺で作られる頂角部先端にＶ字型切り込み２を入れ、底辺部に細い硬質の骨３を取り付け、その両端を結んで輪状の開口部とした斜め半筒状（ハーフパイプ状）に形成し、輪状開口部以外に骨を用いず、糸目糸も張り糸も無くし、開口部の、硬質の骨の結び目４に揚げ糸５を直接結んで空に揚げる、極めてシンプルな構造により、作り方の容易さと、調整不要で安定した飛揚を可能にする。尾部にしっぽ６を付ければ更に完璧である。【選択図】図１
0003119839.tif 000002
【実用新案登録請求の範囲】
【請求項１】
二等辺三角形のシートの、二等辺で作られる頂角部先端にＶ字型切り込みを設け「風の逃げ道」とし、更に底辺部に細い硬質の骨を取り付け、その両端を結んで輪状の開口部とし、開口部以外には硬質の骨は無く、糸目糸も張り糸も全く設けずに、本体への風の流入・流出を容易にして広範囲の風力での飛揚の安定性を向上させ、開口部の輪の結び目に揚げ糸を直接結んで揚げることを特徴とする斜め半筒状（ハーフパイプ状）の凧。（ハーフパイプ凧）  尾部にしっぽを取り付ければ完璧になる。
【考案の詳細な説明】
【技術分野】
【０００１】  本考案は、二等辺三角形のシートの一辺（底辺）に硬質の骨を取り付け、それを輪状に結んで開口部とし、斜め半筒状（ハーフパイプ状）に形成して安定した飛揚性能を確保する構造の、風によって空に揚げる凧に関するものである。
【背景技術】
【０００２】  従来、凧は平面状のものが主体であり、殆どがその面上に複数の硬質の骨と安定性を確保するために多数の糸目糸を取り付け、更に、凧の前面を凸状に形成するために後部に張り糸を設け、強制的に反らせるなどの方法をとっていた。また、立体的な凧においても、その翼面形状を形成・維持させるために硬質の骨を多数組み合わせるか、或いは多数の糸目糸の組み合わせ等によって形状及び安定性を維持させていた。
これらの凧を上手に作り、揚げ、安定して飛揚させ、その飛揚を楽しむには、いずれも凧の作り手や凧揚げを行う者の技術に頼らざるを得ない状況であった。
簡単に製作出来、しかも広範囲な風力に適応してよく揚がる凧の改良が望まれていた。
【考案の開示】
【考案が解決しようとする課題】
【０００３】  凧を作り大空に上手に揚げるには、平面状の凧では、骨の設定と多数の糸目糸の調整に難しさがある。立体的な凧においても、その製作技術はもとより、形状を維持させるための工夫や左右のバランス、重心位置の設定など、およそ凧揚げを楽しもうとする子供たちにとっては、凧揚げ以前に、凧を空に安定させるための難しい要素が少なくない。伝統の凧において、その傾向が大きい。従って「作っても、なかなかよく揚がらない」という経験を、多くの人々が持っている。特に子供たちにとっては、簡単に作れてよく揚がり、誰もが楽しめるのが凧本来の姿であり、伝統の凧の「良さ」を大切にしながらも、時代に合った新しい凧を開発して、これらの課題を解決しようとするものである。
【課題を解決するための手段】
【０００４】  本考案は、平面凧と立体的のそれぞれの効果的な部分をうまく取り込んだ複合形状である。細い硬質の骨を取り付けた輪状の開口部と、先端にＶ字型切り込みを入れた斜め半筒状（ハーフパイプ状）の本体を持ち、開口部以外、凧の本体には全く骨を用いず、糸目糸も張り糸も無く、難しい骨の配置や糸目糸の調整などを全く必要とせず、開口部の輪の結び目に揚げ糸を直接結んで揚げる、シンプルな構成とするものである。【０００５】  凧の材質は紙でも、軟質の各種シート類でもよく、開口部の骨も硬質に限らず軟質のナイロン系のもの等を用いることも可能である。
【考案の効果】
【０００６】  本考案における図１・図２のような構造により、輪状の開口部より凧に風を上手に取り込み、これを揚力に換え、乱流を発生させることなく風に方向性を与えてスムースに逃がしてやる、極めて合理的な構造のため、糸目糸の調整は勿論、揚げ糸の位置や重心位置の調整を全く必要とせず、広範囲な風力に自動的に適応し、飛揚の安定性も確保できる。また、資材量や製作工程数も僅かで、誰でも容易に製作出来、すぐに凧揚げを楽しむことが出来る。【０００７】  この凧の性能を更に向上させるため、Ｖ字型切り込みで形成される尾部二箇所の尖部先端に、しっぽを取り付ければ更に完璧な飛揚となる。また、しっぽの動きにより「風」を目で楽しむことも出来、この凧の全体を通して、凧の揚がる「しくみ」やその「不思議さ」に気づき、感動を与えることも出来るなど、子供たちに教育上の効果もある。
【考案を実施するための最良の形態】
【０００８】  二等辺三角形のシートの、二等辺で作られる頂角部先端にＶ字型の切り込みを入れ、底辺部に細い硬質の骨を取り付け、その両端を結んで輪状にして開口部とし、斜め半筒状（ハーフパイプ状）の本体を構成して風の流入・流出を容易にし、本体には骨も糸目糸も張り糸も全く設けず、揚げ糸を開口部の輪の結び目に直接結ぶことで、何らの調整も必要とせず、製作の容易性と広範囲の風力での飛揚の安定性の向上、更には凧揚げの容易性までも実現する。本構造とすることにより、極言すれば、新聞紙を手で千切って製作しても、その飛揚の安定性は全く変わらない。
【実施例】
【０００９】  図１・図２は、本考案の１実施例である。二等辺三角形のシート１の、二等辺で作られる頂角部先端にＶ字型の切り込み２を入れる。次に、底辺部に細い硬質の骨３を巻き込んで取り付ける。更に、硬質の骨３の両端を結んで丸い開口部を持つ輪を作る。凧はこれで完成である。硬質の骨３の結び目４に、揚げ糸５を直接結んで空に揚げる。必要に応じ、Ｖ字型の切り込み２の先端二箇所に、しっぽ６を貼り付ければ完璧である。【００１０】  硬質の骨の結び目４に揚げ糸５を取り付けることにより、凧の本体において輪状となった開口部の骨の結び目４の両側面部は、凧揚げ時に平面凧における「糸目糸の役目」に、また、立体凧等における「キールの役目」に相当し、飛揚の安定性をつくり出す働きをする。更に、尾部先端のＶ字型切り込みは、方向性を持った「風の逃げ道」として機能し、飛揚の安定性に一層の効果をもたらす。このように斜め半筒状（ハーフパイプ状）の構造にしたことにより、凧づくりと飛揚の安定性の向上を容易にを実現した。
【産業上の利用可能性】
【００１１】  本考案におけるハーフパイプ凧は、製作容易であり糸目その他の設定や調整を全く必要とせず、極めて良好な飛揚を提供する。和紙と竹ヒゴという、これまでの伝統の凧の材料を利用することは勿論、軟質のナイロン系のものや身近な新聞紙などでも充分製作可能であり、新しい凧の形と飛揚の安定性を提供し、子供たちの「物づくり」や「伝統あそび」そして学校や地域及び世代を越えたコミュニケーションづくりに大いに貢献することができる。
また、この新しい凧の製作から凧揚げまでの一連の流れを通して「学びの場」を提供することができる。
【図面の簡単な説明】
【００１２】
【図１】本考案のハーフパイプ凧の一実施例を示す側面図である。
【図２】本ハーフパイプ凧の展開上面図である。二等辺三角形のシートの形状、Ｖ字型切り込み状態及び底辺部への硬質な骨の貼り付け状態を示す。
【符号の説明】
【００１３】１  二等辺三角形のシート（紙など）
２  Ｖ字型切り込み
３  細い硬質の骨（竹ヒゴなど）
４  硬質の骨の結び目
５  揚げ糸
６  しっぽ
【図１】
0003119839.tif 000003
【図２】
0003119839.tif 000004
【手続補正書】
【提出日】平成17年11月16日(2005.11.16)
【手続補正１】
【補正対象書類名】実用新案登録請求の範囲
【補正対象項目名】全文
【補正方法】変更
【補正の内容】
【実用新案登録請求の範囲】
【請求項１】
二等辺三角形のシ−トの、二等辺で作られる頂角部先端にＶ字型切り込みを設け、それによって出来る二箇所の突出部にしっぽを取り付け、更に底辺部に細い硬質の骨を取り付け、その両端を結んで輪状の開口部とし、輪の結び目に揚げ糸を直接結んで揚げることを特徴とする、斜め半筒状（ハーフパイプ状）の凧。